(57)【要約】【課題】机上面を一つないし多数個に区画形成し、カメラ等の小物製品からパソコン等やや大型製品まで各種商品や製品を収納する収納部を備え、当該小物製品や当該大型製品の使用や販売に際し、容易に取出し可能にした机上面に収納部を備えた机の技術を提供する。【解決手段】机上面に収納部を備えた机９は、大概すれば収納本体部９Ａと、これを支持する脚部９Ｂとで構成され、該収納本体部９Ａは例えば、全体が略矩形状を構成してあり、前方から後方間に３列の横方向仕切り板９ｆ、９ｆ…を配置し、該横方向仕切り板９ｆ、９ｆ…に係合する４列の縦方向仕切り板９ｇ、９ｇ…を配置する。前記横方向仕切り板９ｆ、９ｆ…と前記縦方向仕切り板９ｇ、９ｇ…の両板を固定する。製品や商品等を収納する画成された収納スペースＳ１の横幅Ｄ１や縦幅Ｄ２を設定し、この画成された収納スペースＳ１の設定寸法は使用者の好みや用途に応じて設定する。【選択図】図１
2007175264.tif 000002
【特許請求の範囲】
【請求項１】
全体が略矩形状の収納本体部及びこれを支持する脚部で構成した机に於いて、前記収納本体部の上面に形成された収納空間Ｓを所定の横幅長及び縦幅長を有しかつ各種小物製品から大型製品までを収納する収納スペースＳ１〜Ｓ３に所望数個を画成する横方向仕切り板と、該横方向仕切り板に直交して結合する縦方向仕切り板とを備え、前記収納本体部の上面を所定の横・縦の幅長を有する覆板で覆設したことを特徴とする机上面に収納部を備えた机。
【請求項２】
前記横方向仕切り板と前記縦方向仕切り板に凹陥を形成して両者を直交、結合したことを特徴とする請求項１記載の机上面に収納部を備えた机。
【請求項３】
前記所定の横・縦の幅長を有する覆板を吸着手段で開閉することを特徴とする請求項１記載の机上面に収納部を備えた机。
【請求項４】
前記所定の横・縦の幅長を有する覆板を前記収納本体部の前板側から後板側へ進退自在にスライド挿入・配置したことを特徴とする請求項１記載の机上面に収納部を備えた机。
【発明の詳細な説明】
【技術分野】
【０００１】
本発明は、机上面を一つないし多数個に区画形成し、カメラ等の小物製品からパソコン等やや大型製品まで各種商品や製品を収納する収納部を備え、当該小物製品や当該大型製品の使用や販売に際し、容易に取出し可能にした机上面に収納部を備えた机に関する。
【背景技術】
【０００２】
従来に於ける机、殊に作業机やキッチンキャビネットの場合、従来の技術としては例えば、図９に示すような特開平８−８９３５４号公開特許公報に開示されたキッチンキャビネットがある。これについて説明すれば、このキッチンキャビネット１（作業机）は、流し台等と並べて使用される。このキッチンキャビネット１は、収納部２に引き箱３を例えば四段重に収納したものである。該引き箱３は、引出しレール４に載って引き出される。引出しカウンター５は、収納部２の天板６下の最上段の引き箱３の上に配されており、この引き箱３を引出したとき、その上を滑るように引出し自在となっている。引出しカウンター５は、薄いステンレス板から形成されており、収納部２に入れてもスペースをとらないし、汚れたときには、丸洗いできる。引き箱３及び引出しカウンター５を共に収納部２に収納したとき、引出しカウンター５が引き箱３の上面を密封するようになっていると虫除けの効果もある。引出しカウンター５を、薄いステンレス板から形成しているので、この引出しカウンター５の配置位置は、収納部２の上部に限られず、例えば四段重に収納した引き箱３のいずれに対しても取り付けることができる。収納部２の対向する前後方向内側面の各々には、上方の開口したレールが前後方向に向けて取り付けられている。引出しカウンター５の両側部は下方に折り曲げ垂下され摺動脚７とされている。このようにして、引出しカウンター５は、摺動脚７がレールに載せられた状態で、収納部２から出入りする。８は、引出しカウンター５の先端部に設けられた把手であり、この把手８を持って引っ張ったり、押したりすると容易に出し入れできるという技術である。
【特許文献１】特開平８−８９３５４号公開特許公報
【発明の開示】
【発明が解決しようとする課題】
【０００３】
従来の技術は、叙上の構成であるので次の課題が存在した。
従来の技術に於ける前述した構成によれば、キッチンキャビネット等作業机１の上面はフラットな天板６であって、その上面には小物製品や大型製品等を収納する構造となっておらず、キッチンキャビネット１の垂直方向に限定されたスペースや内部に収納部２を備え、この収納部２に引き箱３を多段重に備えており、この引き箱３内に各種の製品や食器類等収納している。従って、収納された各種の製品や食器類等を取出すとき、引き箱３を引出し操作を行なうと共に使用後に各種の製品や食器類等を収納するとき、該引き箱３を押し込み操作をする必要があり、その操作が煩わしくかつ比較的小さい収納容積であるため収納製品数が少なく使用用途が限定されるという問題点があった。
また、当該従来の技術によれば、上記引き箱３に収納している製品や食器類等を使用者が当該作業机やキッチンキャビネット１の上面から見ることはできず、一旦該引き箱３を引出して確認する必要があり、その点からも製品や食器類等を取出すことが不便であるという欠点があった。
さらに、当該従来の技術によれば、作業机やキッチンキャビネット１が特定されれば上記引き箱３内の収納スペースが設定され収納する製品や食器類等が限定され、多種多様であってかつ異形な収納物等を収納することが困難であるという問題点も存在した。加えて、作業机１の上は作業台としての役割のため机上は分類・検索や整理という機能はなく背丈の高い物品の収納は不安定であるという課題があった。
【課題を解決するための手段】
【０００４】
本発明は、机上面を一つないし多数個に可変可能に画成した収納部を備え、叙上した課題を解決すると共に、当該収納部の蓋によって平面化を実現し、机としての機能を保持し、小物製品から大型製品等まで収納物を机上面に安定して収納可能とするうえに該机上面に透明材質でなる挿脱自在の覆板を備え、該収納物の展示機能も併有するという技術を提供することを目的としたものであって、次の構成、手段から成立する。
【０００５】
すなわち、請求項１記載の発明によれば、全体が略矩形状の収納本体部及びこれを支持する脚部で構成した机に於いて、前記収納本体部の上面に形成された収納空間Ｓを所定の横幅長及び縦幅長を有しかつ各種小物製品から大型製品までを収納する収納スペースＳ１〜Ｓ３に所望数個を画成する横方向仕切り板と、該横方向仕切り板に直交して結合する縦方向仕切り板とを備え、前記収納本体部の上面を所定の横・縦の幅長を有する覆板で覆設したことを特徴とする。
【０００６】
請求項２記載の発明によれば、請求項１記載の発明に於いて、前記横方向仕切り板と前記縦方向仕切り板に凹陥を形成して両者を直交、結合したしたことを特徴とする。
【０００７】
請求項３記載の発明によれば、請求項１記載の発明に於いて、前記所定の横・縦の幅長を有する覆板を吸着手段で開閉することを特徴とする。
【０００８】
請求項４記載の発明によれば、請求項１記載の発明に於いて、前記所定の横・縦の幅長を有する覆板を前記収納本体部の前板側から後板側へ進退自在にスライド挿入・配置したことを特徴とする。
【発明の効果】
【０００９】
本発明に係る机上面に収納部を備えた机は、叙上の構成を有するので次の効果がある。
すなわち、請求項１記載の発明によれば、全体が略矩形状の収納本体部及びこれを支持する脚部で構成した机に於いて、前記収納本体部の上面に形成された収納空間Ｓを所定の横幅長及び縦幅長を有しかつ各種小物製品から大型製品までを収納する収納スペースＳ１〜Ｓ３に所望数個を画成する横方向仕切り板と、該横方向仕切り板に直交して結合する縦方向仕切り板とを備え、前記収納本体部の上面を所定の横・縦の幅長を有する覆板で覆設したことを特徴とする机上面に収納部を備えた机を提供する。
このような構成としたので、収納本体部の収納空間Ｓ内を複数個ないし多数個の各種平面積の異なった収納スペースＳ１ないしＳ３を画成することで該収納スペースＳ１ないしＳ３内に製品や商品等の小物製品から大型製品例えば通勤グッズ、薬、リモコンや辞書等を分類して収納でき、使用者等が視覚を通して製品や商品の検索を容易かつ迅速に行なうことができる。また、前述した大型液晶ディスプレイのような背丈の高い収納状態が不安定な製品等でも安定化状態で保持しかつ設置することができ、覆板として例えば透明な板状ガラスを適用すれば、趣味としてコレクションした製品例えばＣＤを当該覆板の上方から眺め、その楽しみを倍加することができ、他方に於いて覆板を非透明な木材等で製作し、これを適用すれば収納スペースＳ１ないしＳ３に収納した製品等の形態や製品自体を第三者から隠蔽し、保存することができるという効果がある。
【００１０】
請求項２記載の発明によれば、前記横方向仕切り板と前記縦方向仕切り板に凹陥を形成して両者を直交、結合したことを特徴とする請求項１記載の机上面に収納部を備えた机を提供する。
このような構成としたので、請求項１記載の発明の効果に加えて、底板上に立設する横方向仕切り板及び縦方向仕切り板を接着剤や固定金具等を用いることなく容易かつ迅速に収納本体部内に配置できるという効果がある。
【００１１】
請求項３記載の発明によれば、前記所定の横・縦の幅長を有する覆板を吸着手段で開閉することを特徴とする請求項１記載の机上面に収納部を備えた机を提供する。
このような構成としたので、請求項１記載の発明の効果に加えて、収納本体部の上面に覆設する覆板に於いて、開閉又は着脱の必要のもののみを取外し又は取付けることが可能となり、操作性が向上する効果がある。
【００１２】
請求項４記載の発明によれば、前記所定の横・縦の幅長を有する覆板を前記収納本体部の前板側から後板側へ進退自在にスライド挿入・配置したことを特徴とする請求項１記載の机上面に収納部を備えた机を提供する。
このような構成としたので、請求項１記載の発明の効果に加えて、覆板としての透明、半透明又は非透明な板で収納本体部の上面をスライドさせながら該収納本体部を開放・閉止するので操作性に極めて優れるという効果がある。
【発明を実施するための最良の形態】
【００１３】
以下、本発明に係る机上面に収納部を備えた机に於ける実施の形態について添付図面に基づき詳細に説明する。
【００１４】
図１は、本発明に係る机上面に収納部を備えた机を示す図面であって、（ａ）は平面図、（ｂ）は正面図である。
図２は、本発明に係る横方向仕切り板の構成例を示す一部を切欠した正面図である。
図３は、本発明に係る机上面に収納部を備えた机を示す図面であって、（ａ）は上記図１（ａ）の矢視Ａ−Ａ線方向の端面図、（ｂ）は上記図１（ａ）の矢視Ｂ−Ｂ線方向の側面図である。
【００１５】
９は、本発明に係る机上面に収納部を備えた机であり、大概すれば収納本体部９Ａと、これを支持する脚部９Ｂとで構成されている。該収納本体部９Ａは例えば、本実施の形態では全体が略矩形状を構成してあり、縦長が例えば約７０（ｃｍ）程度、横長が約１（ｍ）程度、収納本体部９Ａの深さ、即ち高さが約１５（ｃｍ）であって、該机９の高さが約７０（ｃｍ）程度に設定される。尚、収納部を備えた机９は、上記寸法、形状に限定されるものではなく、汎用のニーズに応じて例えば、円盤状に設定しまた机９の高さが比較的低く設定してもよい。
【００１６】
前記収納部を備えた机９は木材で構成され、例えば楢、欅、ブナ、桐、楓、桑、朴、樺、アサダ、桂、栗、楠、楡、栓、塩地、タモ、木肌、水目、桜、檜、姫小松等の広葉樹又は針葉樹を伐採し適用する。また、当該机９は輸入材を用いてもよく、輸入材としては、ウォルナット、ピーチ、ヒッコリー、アッシュ、ホワイトオーク、メープル、レッドオーク、チェリー、バスウッド、ウィロー、エルム、ガム、ササフラス、パーチ等の広葉樹やスブルース等の針葉樹でなる北米材を適用する。さらに、南洋材やアフリカ材としての黒檀、チーク、ターミナリア、鉄刀木、ベルポック、花梨、ラミン、ラング、ケンパス、タウン、マンソニア、ゼブラノ、マコレ、イロコ、チトラ、アサメラ、バーリア、コーディァ、オバンコル、シルバーハート、ケドンドン、プビンガ、パドウク、サペリ、ウエンジ、カヤ等を適用してもよい。尚、当該机９は木材に代えて金属、プラスチック等の化学素材で構成してもよい。
【００１７】
前記机９の収納本体部９Ａは底板９ａ、前板９ｂ、後板９ｃ及び前記脚部９Ｂと一体に構成された左・右側板９ｄ、９ｅを備えている。前記底板９ａ、前・後板９ｂ、９ｃ及び左・右側板９ｄ、９ｅにより各種製品や商品の収納空間Ｓが構成される。該収納空間Ｓ内の前方から後方間に複数列、すなわち本実施の形態では所望列例えば３列の横方向仕切り板９ｆ、９ｆ…を配置する。また、該横方向仕切り板９ｆ、９ｆ…に係合する所望列、例えば４列の縦方向仕切り板９ｇ、９ｇ…を配置する。而して、この両者すなわち横方向仕切り板９ｆ…と縦方向仕切り板９ｇ…により収納本体部９Ａの収納空間Ｓ内を画成する。
【００１８】
前記横方向仕切り板９ｆ、９ｆ…と前記縦方向仕切り板９ｇ、９ｇ…は、例えば、図２に示すように所定間隔毎に凹陥９ｈを上端から下方に向って切込み形成している。そして、該横方向仕切り板９ｆ、９ｆ…に形成した凹陥９ｈ…内に前記縦方向仕切り板９ｇ、９ｇ…を嵌込み、両板を固定する。凹陥９ｈの相互間の距離Ｌの長さを適宜変更することにより製品や商品等を収納する画成された収納スペースＳ１の横幅Ｄ１や縦幅Ｄ２を設定することができる。この画成された収納スペースＳ１の設定寸法は使用者の好みや用途に応じて設定する。
【００１９】
また、前記横方向仕切り板９ｆ、９ｆ…と前記縦方向仕切り板９ｇ、９ｇ…に於ける他の係合態様としては、前記収納本体部９Ａの収納空間Ｓに於いて、画成された収納スペースＳ１の横幅Ｄ１の幅長と略同一の長さを有する横方向仕切り板９ｆを複数個すなわち本実施の形態では、一列当り５個を備えると共に縦幅Ｄ２の幅長と略同一の長さを有する縦方向仕切り板９ｇを複数個を同様に一列当り４個を備え、該横方向仕切り板９ｆ、９ｆ…と該縦方向仕切り板９ｇ、９ｇ…と直交して結合する。
【００２０】
結合方法としては、横方向仕切り板９ｆ、９ｆ…と縦方向仕切り板９ｇ、９ｇ…の各垂直方向両端部に凹凸を形成し、スライド方式に挿入・固定することや該両板９ｆ、９ｇの各垂直方向両端部や該両板９ｆ、９ｇの底面部を接着剤等で接着固定し又は固定金具を使用して、底板９ａの上面に立設・固定する。
【００２１】
さらに、他の結合方法としては前記横方向仕切り板９ｆ、９ｆ…又は前記縦方向仕切り板９ｇ、９ｇ…のいずれか一方を前記した凹陥９ｈを形成せずこれに変えて前記横方向仕切り板９ｆ、９ｆ…又は縦方向仕切り板９ｇ、９ｇ…の表裏面であって、横幅Ｄ１又は縦幅Ｄ２毎に垂直方向にスリット又は縦溝を形成し、この縦溝に前述した縦幅Ｄ２の幅長と略同一の長さを有する縦方向仕切り板９ｇ…又は横幅Ｄ１の幅長と略同一の長さを有する横方向仕切り板９ｆの垂直方向両端部を嵌込む。この際、例えば図１（ａ）に示すように横方向仕切り板９ｆ、９ｆ…に画成された収納スペースＳ１について幅Ｄ１の２倍、つまり横幅Ｄ３を確保する場合は、該横幅Ｄ３間に位置する縦方向仕切り板９ｇを削減すればよい。
このように、収納本体部９Ａの収納空間Ｓに於いて画成された収納スペースＳ１の横幅Ｄ１や縦幅Ｄ２の幅長は使用者の好みや使用形態若しくは商品・製品の展示方法に応じて適宜設定すればよい。
【００２２】
次に図３（ａ）に基づき、前記収納本体部９Ａの構成について詳しく説明する。
図３（ａ）は、図１（ａ）の矢視Ａ−Ａ線方向で切断した端面図である。
前述したように、収納本体部９Ａの収納空間Ｓ内に於いて、横方向仕切り板９ｆ、９ｆ…と縦方向仕切り板９ｇ、９ｇ…を係合することにより収納スペースＳ１が画成される。図３（ａ）に示す収納スペースＳ１は、該収納本体部９Ａの横方向で一列につき５個の収納スペースＳ１を画成した例である。そして、該収納本体部９Ａの収納空間Ｓ内に於いて、縦方向に底板９ａ上に縦方向仕切り板９ｇ、９ｇ…を４個を立設・配置した構成を示している。
【００２３】
図３（ａ）から分るように、前記縦方向仕切り板９ｇ、９ｇ…はその断面形状が例えば、略矩形であって、下面がフラットに形成され前記底板９ａの上面に密着接合している。該縦方向仕切り板９ｇ、９ｇ…の上面は、その略中央に長さ方向に突条９ｉ、９ｉ…を走らせて形成すると共に該突条９ｉの左・右側は段差面９ｊ、９ｊ…を形成している。一方、前記縦方向仕切り板９ｇ、９ｇ…に対して直交して係合する前記横方向仕切り板９ｆ、９ｆ…（図３（ａ）に図示せず）も前記縦方向仕切り板９ｇ、９ｇ…と同様に、突条９ｉ、９ｉ…及び段差面９ｊ、９ｊ…を形成している。また、前記収納本体部９Ａの上面、すなわち前記横方向仕切り板９ｆ、９ｆ…の上端及び前記縦方向仕切り板９ｇ、９ｇの上端、つまり両者の段差面９ｊ、９ｊ…上には、前記画成された収納スペースＳ１の面と略同一形状、寸法を有する多数個の覆板１０、１０…を載置する。
【００２４】
この覆板１０、１０…は、図１（ａ）で示す本実施の形態では２０個をそれぞれ前記収納スペースＳ１の上面、すなわち横方向仕切り板９ｆ、９ｆ及び縦方向仕切り板９ｇ、９ｇの段差面９ｊ、９ｊ…上に載置する。また、当該覆板１０、１０…はガラス材料、樹脂材料や木材等で平板状に形成して構成する。そして、使用形態や好みに応じて該覆板１０、１０を透明体、非透明体及び半透明体に構成し、透明体としてはガラス材料以外にアクリル樹脂、ポリカーボネイト、塩化ビニール、ＡＢＳ樹脂等の透明樹脂を適用する。半透明体としてはスリガラス等を適用する。非透明体としては、前述した収納部を備えた机９と同材質の同一の木材を薄板状に作製し、これを適用する。
【００２５】
かくして、図１（ａ）に示す例では前記透明体、半透明体や非透明体で構成された総計２０個の覆板１０、１０…をそれぞれ各収納スペースＳ１の上面に載置する。収納本体部９Ａの前方の第１列目に於ける画成された５個の収納スペースＳ１には、第三者の眼から隠蔽する必要があるとき例えば秘密文書や貴重品類を収納している場合、非透明の樹脂や木材等で成形された当該５個の覆板１０、１０…を使用する。また、上述した２０個の各収納スペースＳ１に収納された商品又は製品を販売のために展示するとき、第三者に視覚を通じて当該商品や製品の全貌が直ちに判明できるように各収納スペースＳ１の上面に透明のガラス材料等で構成された透明体でなる２０個の覆板１０、１０…を逐次載置する。
【００２６】
そして、図１（ａ）に示す総計２０個の覆板１０、１０…に於いて、収納本体部９Ａの収納空間Ｓ内の略中央部分について例えば、収納スペースＳ１の６個分を非透明体でなる木材の薄板で構成し、他の周辺部分について１４個分を透明体でなるガラス材料又は半透明体でなるスリガラス等で構成してもよく、要は、前記収納本体部９Ａの収納空間Ｓ内に於ける収納スペースＳ１を使用者の好みや用途等に応じて覆板１０、１０…の素材や構成を適宜変更して使用することが可能である。
【００２７】
また、前記覆板１０、１０…は画成された収納スペースＳ１の面と略同一形状、寸法に限定されず、該収納スペースＳ１の面の２倍又は３倍の面積を有して形成してもよく、使用者の好みや用途に応じて、各種の大きさや形状を有する覆板１０、１０…を用意し、各種の実施形態に適応させる。そして、覆板１０の大きさを収納本体部９Ａの収納空間Ｓ全体の大きさに設定し、１枚の覆板１０で構成してもよい。
【００２８】
尚、図３（ａ）に於いて、左側板９ｄ及び右側板９ｅの上端の内壁面にはそれぞれ段差面９ｋ、９ｍを縦方向に形成し、この段差面９ｋ、９ｍ上に最左側及び最右側の前記覆板１０の左端縁及び右端縁を当接し、安定形態にして収納本体部９Ａの上面を覆設している。また、前記左側板９ｄ及び右側板９ｅの下端側の内壁面にはそれぞれ凹陥又は溝９ｎ、９ｐを縦方向に形成し、この凹陥又は溝９ｎ、９ｐ内に底板９ａの左縁及び右縁を嵌入し、該底板９ａを左側板９ｄ、右側板９ｅに固定している。
【００２９】
次に、本発明に係る机上面に収納部を備えた机に於ける実施の形態に基づく使用方法、操作手順や機能等について図４及び図５等で説明する。
図４は、収納本体部９Ａの収納空間Ｓに於いて、画成された各種の大きさを有する収納スペースＳ１、Ｓ２、Ｓ３…を設定しかつその収納スペースＳ１、Ｓ２、Ｓ３内をカメラ等の小物製品からノートパソコン等大型製品まで収納した状態を示す平面図であって、透明ガラスでなる覆板１０を取外した状態を示している。
図５は、本発明に係る机上面に収納部を備えた机の斜視図であって、覆板１０を吸着手段としての吸盤を使用して収納本体部９Ａの上面から取外し又は収納本体部９Ａの上面へ覆設する状態を示すものである。
【００３０】
図４に示す収納本体部９Ａの収納空間Ｓを画成した使用例に於いては例えば平面積が最小単位の収納スペースＳ１、該収納スペースＳ１の３倍の平面積でなる収納スペースＳ２及び該収納スペースＳ１の６倍の平面積でなる収納スペースＳ３が存在する。そして、例えば収納本体部９Ａの上面から見た収納空間Ｓの最後列には、その左・右側に収納スペースＳ１、Ｓ１を略中央部には収納スペースＳ２が画成され、それぞれ左側から右側に向ってパソコンスピーカ１１、大型液晶ディスプレイ１２、パソコンスピーカ１３を収納している。尚、他の収納製品としては、水差し、コップ等がある。該大型液晶ディスプレイ１２は、基台１２ａが後板９ｃの内壁面９ｑと横方向仕切り板９ｆの内壁面９ｒで挾持され安定状態に保持されている。一方、前記収納本体部９Ａの上面から見た収納空間Ｓの最前列の略中央には、収納スペースＳ３が画成され、その収納スペースＳ３内にやや大型のＡ４版ノートパソコン１４、キーボード１５及びマウス１６を収納している。
【００３１】
そして、上述した比較的小型製品としてのパソコンスピーカ１１ないし大型製品としてのＡ４版ノートパソコン１４等やその他収納スペースＳ１等に収納している時計やカメラ等使用する必要がないとき、すべての収納スペースＳ１ないしＳ３の上面は覆板１０、１０…で被覆されている。
ところで、前記実施の形態に於いて、大型液晶ディスプレイ１２は収納本体部９Ａの上面から突出しているので、該覆板１０を載置することはできない。次に、例えば収納スペースＳ１に収納しているカメラや時計等の製品を取出す場合は、図５に示すように使用者又は操作者は吸着手段としての吸盤１７を覆板１０面上に押圧して該覆板１０を吸引する。そこで、横方向仕切り板９ｆ及び縦方向仕切り板９ｇの総計４つの段差面９ｊ、９ｊ、９ｊ、９ｊから該覆板１０が引上げられ収納スペースＳ１が開放され、この収納スペースＳ１内に収納されている例えば上記カメラや時計等の製品を取出す。このように吸盤１７により収納スペースＳ１を開閉自在又は覆板１０、１０…を着脱自在に構成する。尚、上記吸盤１７に代えて磁石を使用してもよい。この場合、覆板１０は木材等で構成したとき、その一部に鉄板等を貼り付け又は埋め込み構成する。
【００３２】
このように本実施の形態によれば、収納本体部９Ａの収納空間Ｓ内を複数個ないし多数個の各種平面積の異なった収納スペースＳ１ないしＳ３を画成することで該収納スペースＳ１ないしＳ３内に製品や商品等の小物製品から大型製品まで例えば通勤グッズ、薬、リモコンや辞書等を分類して収納でき、使用者等が視覚を通して製品や商品の検索を容易かつ迅速に行なうことができる。また、前述した大型液晶ディスプレイ１２のような背丈の高い収納状態が不安定な製品等でも安定化状態で保持しかつ設置することができる。また、覆板１０として例えば透明な板状ガラスを適用すれば、趣味としてコレクションした製品例えばＣＤを当該覆板１０の上方から眺め、その楽しみを倍加することができる。他方に於いて覆板１０を非透明な木材等で製作し、これを適用すれば収納スペースＳ１ないしＳ３に収納した製品等の形態や製品自体を第三者から隠蔽し、保存することができるという特徴も備えている。また、上記覆板１０に代えて、収納スペースＳ１ないしＳ２内に覆板付きＢＯＸを収納して構成してもよい。かかる覆板付きＢＯＸにカメラや時計等の収納製品を収納する。
【実施例１】
【００３３】
次に、本発明に係る机上面に収納部を備えた机に於ける実施例１について、図６（ａ）、（ｂ）、（ｃ）及び図７に基づき、詳細に説明する。
【００３４】
図６は、本発明に係る机上面に収納部を備えた机の実施例１を示す図面であって、（ａ）は覆板としての透明ガラス板を一部前板９ｂ側に引出した平面図、（ｂ）は（ａ）の矢視Ｃ−Ｃ線方向の端面図である。
図７は、図６（ａ）の矢視Ｄ−Ｄ線方向の側面図である。
【００３５】
１８は、前記本発明に係る机上面に収納部を備えた机９の収納本体部９Ａであって、収納空間Ｓの上面に覆設される１枚のガラス材料等でなる透明体で構成した覆板としての透明ガラス板である。該透明ガラス板１８の形状及び寸法は前記収納空間Ｓの平面積の形状、寸法と合致させており、図６（ａ）に示すように机９及び収納本体部９Ａの前板９ｂ側から後板９ｃ側方向にスライドさせて挿入・配置する。
【００３６】
そこで、図６（ｂ）に示すように収納本体部９Ａの底板９ａの上面に立設した例えば４列の縦方向仕切り板９ｇ、９ｇ…及び同様に底板９ａの上面に立設した例えば３列の横方向仕切り板９ｆ、９ｆが前記透明ガラス板１８を支持している。前記横方向仕切り板９ｆ、９ｆ…及び縦方向仕切り板９ｇ、９ｇ…の上面は略中央に長さ方向の突条を形成することなくフラット面を形成している。一方、図６（ｂ）に於いて、左側板９ｄ及び右側板９ｅの上端の内壁面にはそれぞれ段差面９ｋ、９ｍを縦方向に形成し、この段差面９ｋ、９ｍ上に前記覆板としての透明ガラス板１８の左縁１８ａ及び右縁１８ｂを当接・載置し、該透明ガラス板１８を収納本体部９Ａの前板９ｂ側から後板９ｃ側へ又は後板９ｃ側から前板９ｂ側へスライド可能にすると共に安定形態にして該収納本体部９Ａすなわち収納空間Ｓの上面を覆設している。尚、上記透明ガラス板１８はスリガラス等の半透明板で構成してもよい。
【００３７】
上述した説明は、覆板としての透明ガラス板１８が１枚で構成した例を示したが、本発明はこれに限定されず、複数枚例えば図示しないが２枚の透明ガラス１８、１８を横方向に並置して構成し、この透明ガラス板をそれぞれ同時又は別個に前板９ｂ側から後板９ｃ側へ又は後板９ｃ側から前板９ｂ側へスライド可能又は進退自在に配置することもできる。この場合、前記収納本体部９Ａつまり前記収納空間Ｓの横方向の略中央であって、縦方向にガイド部材を形成してもよい。
【００３８】
また、前述した横方向仕切り板９ｆ、９ｆ…と縦方向仕切り板９ｇ、９ｇ…の結合方法や収納本体部９Ａの底板９ａ上に立設・固定する方法又は該横方向仕切り板９ｆ、９ｆ…と縦方向仕切り板９ｇ、９ｇ…の細部の構造等は前述した本発明の実施の形態の説明で述べたので、その説明を省略する。
【００３９】
当実施例１に係る机上面に収納部を備えた机９に於いて、収納スペースＳ１内に収納される製品や商品としての前述した大型液晶ディスプレイ１２は、収納空間Ｓの上方に突出するので該収納スペースＳ１内に収納できないがカメラ、時計等の小物製品を収納すること又は覆板が透明ガラス板１８であることから第三者に展示物として該透明ガラス板１８の上方から観察可能とし、購買意欲を向上させることもできる。例えば、該収納スペースＳ１内のそれぞれに昆虫の形状を模倣した宝石やペンダント、飾り物等を収納することで営業機能を向上させることもできる。尚、上記覆板としての透明ガラス板１８を１枚で構成すると共に机９の収納本体部９Ａの前板９ｂ側から後板９ｃ側方向にスライドさせて挿入・配置することなく、前記収納空間Ｓの上方からそのまま覆設することもできる。このように構成すれば、該透明ガラス板１８を手前（前板９ｂ側）に引出すこともなく、収納スペースＳ１から製品や商品を出し入れする場合に邪魔にならない。
本発明に係る机上面に収納部を備えた机に於ける実施例１に基づく他の使用方法、操作手順や機能等は実施の形態の場合と略同一であり、その説明を省略する。
【実施例２】
【００４０】
次に、本発明に係る机上面に収納部を備えた机に於ける実施例２について、図８（ａ）、（ｂ）に基づき詳細に説明する。
図８（ａ）、（ｂ）は机上面に収納部を備えた机の実施例２を示す図面であって（ａ）は覆板としての木材等で構成された非透明板を収納本体部に覆設した平面図、（ｂ）は（ａ）の矢視Ｅ−Ｅ線方向の側面図である。
【００４１】
１９は、前記本発明に係る机上面に収納部を備えた机９の収納本体部９Ａであて、収納空間Ｓの上面に覆設される１枚の木材等でなる非透明体で構成した覆板としての非透明板である。該非透明板１９の形状及び寸法は前記収納空間Ｓの平面積の形状寸法と合致させており、図８（ａ）に示すように机９及び収納本体部９Ａの前板９ｂ側から後板９ｃ側方向にスライドさせて挿入・配置する。
【００４２】
当該実施例２に係る机上面に収納部を備えた机９に於いて、収納スペースＳ１（図示せず）内に収納される製品や商品としては秘密文書や第三者に展示する必要のない貴重品であって、収納スペースＳ１内に収納した当該製品自体や貴重品等の形態を第三者から隠蔽し、保有することが可能となる。
当該実施例２に係る机上面に収納部を備えた机に於ける他の構造及び使用方法、操作手順や機能等は前述した実施例１に係る机と略同一であり、その説明を省略する。
【図面の簡単な説明】
【００４３】
【図１】本発明に係る机上面に収納部を備えた机を示す図面であって、（ａ）は平面図、（ｂ）は正面図である。
【図２】本発明に係る横方向仕切り板の構成例を示す一部を切欠した正面図である。
【図３】本発明に係る机上面に収納部を備えた机を示す図面であって、（ａ）は上記図１（ａ）の矢視Ａ−Ａ線方向の端面図、（ｂ）は上記図１（ａ）の矢視Ｂ−Ｂ線方向の側面図である。
【図４】本発明に係る机上面に収納部を備えた机の収納本体部に於ける製品を収納した状態を示す平面図である。
【図５】本発明に係る机上面に収納部を備えた机の図面であって、覆板を吸盤を使用して収納本体部の上面から取外し又は収納本体部の上面へ覆設する状態を示す斜視図である。
【図６】本発明に係る机上面に収納部を備えた机の実施例１を示す図面であって、（ａ）は覆板としての透明ガラス板を一部前板側に引出した平面図、（ｂ）は（ａ）の矢視Ｃ−Ｃ線方向の端面図である。
【図７】図６（ａ）の矢視Ｄ−Ｄ線方向の側面図である。
【図８】机上面に収納部を備えた机の実施例２を示す図面であって（ａ）は覆板としての木材等で構成された１枚の非透明板を収納本体部に覆設した平面図、（ｂ）は（ａ）の矢視Ｅ−Ｅ線方向の側面図である。
【図９】従来の技術におけるキッチンキャビネット（作業机）の例を示す斜視図である。
【符号の説明】
【００４４】
９      本発明に係る机上面に収納部を備えた机
９Ａ    収納本体部
９Ｂ    脚部
９ａ    収納本体部の底板
９ｂ    収納本体部の前板
９ｃ    収納本体部の後板
９ｄ    収納本体部の右側板
９ｅ    収納本体部の左側板
９ｆ    横方向仕切り板
９ｇ    縦方向仕切り板
９ｈ    横方向仕切り板及び縦方向仕切り板の凹陥
９ｉ    横方向仕切り板及び縦方向仕切り板の突条
９ｊ    横方向仕切り板及び縦方向仕切り板の段差面
９ｋ    左側板の段差面
９ｍ    右側板の段差面
９ｎ    左側板の溝（凹陥）
９ｐ    右側板の溝（凹陥）
９ｑ    後板の内壁面
９ｒ    横方向仕切り板の内壁面
１０    覆板
１１    パソコンスピーカ
１２    大型液晶ディスプレイ
１２ａ  大型液晶ディスプレイの基台
１３    パソコンスピーカ
１４    Ａ４版ノートパソコン
１５    キーボード
１６    マウス
１７    吸盤（吸着手段）
１８    透明ガラス板
１９    非透明板
Ｓ      収納空間
Ｓ１〜Ｓ３  収納スペース
【図１】
2007175264.tif 000003
【図２】
2007175264.tif 000004
【図３】
2007175264.tif 000005
【図４】
2007175264.tif 000006
【図５】
2007175264.tif 000007
【図６】
2007175264.tif 000008
【図７】
2007175264.tif 000009
【図８】
2007175264.tif 000010
【図９】
2007175264.tif 000011